(57)【要約】【課題】ノートパソコンからの情報の漏洩を防止する。【解決手段】情報漏洩防止パソコン台１はノートパソコン６０を載置するベース１０と、ベース１０にノートパソコンを着脱自在に固定する複数個の固定具２０、３０、５０とを備えており、漏洩防止用固定具５０はベース１０に固定された状態においてノートパソコン６０の情報取り出し部への外部記憶装置の接続を阻止する接続阻止部５３を備えている。例えば、ノートパソコンの情報取り出し部になるＵＳＢポートへのＵＳＢメモリーの接続を漏洩防止用固定具５０の接続阻止部５３によって阻止することにより、使用中のノートパソコンについてもＵＳＢメモリーへの情報の漏洩を防止できるので、ノートパソコンのセキュリティーを向上させることができる。【選択図】図２
2006277202.tif 000002
【特許請求の範囲】
【請求項１】
ノートパソコンを載置するベースと、このベースに前記ノートパソコンを着脱自在に固定する複数個の固定具とを備えており、前記複数個の固定具のうち少なくとも一つの固定具は、前記ベースに取り付けられた状態において前記ノートパソコンの情報取り出し部への外部記憶装置の接続を阻止する接続阻止部を備えていることを特徴とする情報漏洩防止パソコン台。
【請求項２】
前記接続阻止部を備えた固定具は、この固定具自身を前記ベースに固定する固定部および前記ノートパソコンと係合する係合部をも備えていることを特徴とする請求項１に記載の情報漏洩防止パソコン台。
【請求項３】
前記複数個の固定具の固定部は、前記ベースに螺着される雄ねじ部材を挿通可能な長孔を備えていることを特徴とする請求項２に記載の情報漏洩防止パソコン台。
【請求項４】
前記複数個の固定具は前記ベースに対する固定を封する封緘を備えていることを特徴とする請求項１、２または３に記載の情報漏洩防止パソコン台。
【発明の詳細な説明】
【技術分野】
【０００１】
本発明は、情報漏洩防止パソコン台に関し、特に、ノートパソコン（ノート型パーソナルコンピュータ）の情報の漏洩を防止するのに利用して有効なものに関する。
【背景技術】
【０００２】
従来、ノートパソコンは小型軽量である特性から窃盗され易いために、ノートパソコン自身の盗難を防止したノートパソコン用パソコン台が、提案されている。
従来のこの種のノートパソコン用パソコン台としては、上向回動式天板の施錠装置を備えたものがある。例えば、特許文献１参照。
【特許文献１】特開２００１−２６２９０６号公報
【発明の開示】
【発明が解決しようとする課題】
【０００３】
しかしながら、ノートパソコン自身の盗難を防止した従来のノートパソコン用パソコン台においては、例えば、使用中のノートパソコンからの情報漏洩は防止することができない。
ところで、持ち運び易さ等の利便性に優れた外部記憶装置として、ＵＳＢフラッシュメモリー（以下、ＵＳＢメモリーという。）が、最近は広く使用されている。
ＵＳＢメモリーはパソコンのＵＳＢポート（ＵＳＢケーブル接続口）に挿入することにより、ノートパソコンに格納された情報を瞬時に取り出すことができるので、ノートパソコンの情報漏洩の危険性は非常に高くなっている。このような状況に伴って、最近はコンピュータからの情報漏洩事故が頻発している。
このような状況や、個人情報保護法が平成１７年４月から完全施行されるのに鑑みて、ノートパソコンの使用企業は、情報の漏洩防止対策を強化している。
【０００４】
本発明の目的は、ノートパソコンからの情報の漏洩を防止することができる情報漏洩防止パソコン台を提供することにある。
【課題を解決するための手段】
【０００５】
前記した課題を解決するための手段のうち代表的なものは、次の通りである。
ノートパソコンを載置するベースと、このベースに前記ノートパソコンを着脱自在に固定する複数個の固定具とを備えており、前記複数個の固定具のうち少なくとも一つの固定具は、前記ベースに取り付けられた状態において前記ノートパソコンの情報取り出し部への外部記憶装置の接続を阻止する接続阻止部を備えていることを特徴とする情報漏洩防止パソコン台。
【発明の効果】
【０００６】
前記した手段によれば、例えば、ノートパソコンの情報取り出し部になるＵＳＢポートへのＵＳＢメモリーの接続を接続阻止部を備えた固定具によって阻止することにより、使用中のノートパソコンであっても、ＵＳＢメモリーへの情報の漏洩を防止することができるので、ノートパソコンのセキュリティーを向上させることができる。
【発明を実施するための最良の形態】
【０００７】
以下、本発明の一実施の形態を図面に即して説明する。
【０００８】
図１に示されているように、本実施の形態に係る情報漏洩防止パソコン台１は、ノートパソコンを載置するベース１０と、このベース１０にノートパソコンを着脱自在に固定する複数個の固定具２０、３０、５０とを備えている。
ベース１０は本体１１を備えており、本体１１はメラミン焼き付け塗装が施された薄い鋼板が使用されて、ノートパソコンの平面視の形状と大きめに相似する略正方形の平板形状に形成されている。
本体１１の下面における四隅には四つの脚部材１２がそれぞれ貼着されている。各脚部材１２は適度な弾力性を有するラバーや樹脂が使用されて、円盤形状に形成されており、接着法や溶着法等によって本体１１の下面に固着されている。各脚部材１２はベース１０がパソコン机の天板２の上に載置された際に、ベース１０が天板２を損傷させたり、ベース１０が天板２の表面上で滑ったりするのを防止する役目を果たす。
【０００９】
図１に想像線で示されているように、本体１１の上面にはノートパソコンが載置される載置部１３が、ノートパソコンの平面視の形状に対応する四角形形状に仮想的に設定されている。載置部１３の四辺のうち一辺（以下、後辺とする。）の一端部（以下、右端部とする。）には、アングル型鋼形状に形成された後側固定具２０が配置されている。
後側固定具２０の稜線部２１は載置部１３の後辺の線上に一致されているとともに、その縦部片２２はノートパソコンの背面の一部に当接するように設定されており、その横部片２３が本体１１に溶接法や接着法等によって固着されている。つまり、後側固定具２０はノートパソコンをベース１０に載置する際の基準となるように設定されている。
【００１０】
載置部１３の四辺のうち前辺の中央部には、アングル型鋼形状に形成された前側固定具３０が配置されるようになっている。前側固定具３０の稜線部３１は載置部１３の前辺の線上に一致されるようになっているとともに、その縦部片３２がノートパソコンの正面の中央部に当接するように設定されている。前側固定具３０の横部片３３の中央部には、雄ねじ部材４０を挿通する長孔３４が前後方向に延在するように開設されている。
本体１１の載置部１３よりも前方であって長孔３４に対向する位置には、雌ねじ孔１４が開設されており、この雌ねじ孔１４に雄ねじ部材４０が前側固定具３０の長孔３４を挿通してねじ込まれることにより、前側固定具３０はベース１０に固定されるようになっている。つまり、ノートパソコンがベース１０に載置された状態において、前側固定具３０は後側固定具２０との間でノートパソコンを挟み付けることにより、ノートパソコンの前後方向の位置を規制することができるように設定されている。
【００１１】
載置部１３の四辺のうち左辺および右辺には、ベース１０に取り付けられた状態においてノートパソコンの情報取り出し部への外部記憶装置の接続を阻止する接続阻止部を備えた固定具（以下、漏洩防止用固定具という。）５０が一対ずつ配置されるようになっている。すなわち、本体１１の左端部および右端部には、漏洩防止用固定具５０を固定するための雌ねじ孔１５が、それぞれ一対ずつ開設されている。
【００１２】
本実施の形態においては、各漏洩防止用固定具５０は実質的に同一形状に構成されているので、その構成は左辺に配置された場合を一例にして説明する。
漏洩防止用固定具５０はＺ型鋼形状に形成されており、漏洩防止用固定具５０自身をベース１０に固定する固定部５１と、ベース１０に取り付けられた状態においてノートパソコンの情報取り出し部への外部記憶装置の接続を阻止する接続阻止部５３と、ノートパソコンと係合する係合部５４とを備えている。
【００１３】
固定部５１は漏洩防止用固定具５０のＺ型鋼形状における下側横部片によって構成されており、固定部５１の中央部には雄ねじ部材４０を挿通する長孔５２が左右方向に延在するように開設されている。
この長孔５２を本体１１の左端部に開設された雌ねじ孔１５に整合させた状態で、雄ねじ部材４０を長孔５２に上から挿通させて雌ねじ孔１５にねじ込むことにより、漏洩防止用固定具５０はベース１０に固定されるようになっている。
そして、漏洩防止用固定具５０のベース１０すなわちノートパソコンに対する左右方向の位置は、雄ねじ部材４０を若干弛めた状態で、長孔５２に沿って漏洩防止用固定具５０を左右方向に適宜にずらすことにより、任意に調節することができる。
なお、本実施の形態においては、長孔５２は接続阻止部５３にまで延在しており、例えば、マウスのためのＵＳＢケーブルを挿通することができるように構成されている。
【００１４】
接続阻止部５３は漏洩防止用固定具５０のＺ型鋼形状における縦部片によって構成されている。すなわち、接続阻止部５３は漏洩防止用固定具５０がベース１０に取り付けられた状態において、ノートパソコンの情報取り出し部を隠蔽するように正対することにより、情報取り出し部への外部記憶装置の接続を阻止することができるように構成されている。接続阻止部５３は情報取り出し部への外部記憶装置の接続を阻止することができればよいため、情報取り出し部の少なくとも一部に対向すればよい。
【００１５】
係合部５４は漏洩防止用固定具５０のＺ型鋼形状における上側横部片によって構成されている。係合部５４は漏洩防止用固定具５０がベース１０に取り付けられた状態において、ノートパソコンの一部に上から係合することにより、ノートパソコンをベース１０に押さえ付けて固定するようになっている。
係合部５４の下面にはクッション５５が貼着されている。クッション５５は適度な弾力性を有するラバーや樹脂が使用されて係合部５４に対応する形状に形成されており、接着法や溶着法等によって係合部５４の下面に固着されている。クッション５５は係合部５４がノートパソコンの一部に係合した際に、ノートパソコンをベース１０に適度な弾性力で押し付けるばかりでなく、係合部５４がノートパソコンを損傷させるのを防止する役目を果たす。
【００１６】
本実施の形態においては、漏洩防止用固定具５０は載置部１３の四辺のうち左辺および右辺ばかりでなく後辺の左端部にも配置されている。すなわち、本体１１の後辺の後側固定具２０と反対側の端部である左端部にも、漏洩防止用固定具５０を固定するための雌ねじ孔１５が開設されている。
【００１７】
以上のように構成された情報漏洩防止パソコン台１にはノートパソコン６０が、図２〜図６に示されているように固定された状態で使用される。
【００１８】
ノートパソコン６０が情報漏洩防止パソコン台１に固定されるに際しては、まず、背面の一部が後側固定具２０に当接するように配置された状態で、ノートパソコン６０はベース１０の載置部１３の上に載置される。
この際に、後側固定具２０は背面に配置された簡易ロック取付口やプリンタ接続口、映像端子接続口、ネットワーク接続口およびＵＳＢポート等とは干渉しないように、配置されている（図４参照）。
【００１９】
次いで、前側固定具３０が載置部１３の前辺の雌ねじ孔１４の位置において、その縦部片３２がノートパソコンの正面の中央部に当接するように配置され、雄ねじ部材４０が長孔３４を挿通して雌ねじ孔１４にねじ込まれることにより、固定される。
この状態において、図５に示されているように、ノートパソコン６０は前後を前側固定具３０と後側固定具２０とによって挟み付けられることにより、前後方向の位置を規制された状態になる。
【００２０】
その後、ノートパソコン６０には必要な周辺機器が接続される。
図２〜図６に示された実施の形態の場合においては、ノートパソコン６０の左側面に配置されたＵＳＢポート６１にはマウスのためのＵＳＢケーブル６２が接続されており、ノートパソコン６０の背面に配置されたネットワーク接続口６３にはネットワークケーブル６４が接続されている。
【００２１】
次に、四個の漏洩防止用固定具５０がノートパソコン６０の左辺および右辺における四個の雌ねじ孔１４にそれぞれ配置されて、係合部５４がノートパソコン６０の本体の上面における外周縁部に係合された状態で、雄ねじ部材４０が雌ねじ孔１４に長孔５２を挿通してねじ込まれることにより、それぞれ固定される。
【００２２】
この際、図２および図３に示されているように、右辺の前側および後側にそれぞれ配置される漏洩防止用固定具５０、５０は、接続阻止部５３、５３がノートパソコン６０の右側面にそれぞれ近接された状態で固定されることにより、図５に示されているように、ノートパソコン６０の右側面に配置されたＦＤドライブ６５およびＣＤ／ＤＶＤドライブ６６の使用をそれぞれ阻止する状態を創出する。
また、左辺の後側に配置される漏洩防止用固定具５０は、接続阻止部５３がノートパソコン６０の左側面に近接された状態で固定されることにより、図６に示されているように、ノートパソコン６０の左側面に配置されたＰＣカードスロット６７の使用をそれぞれ阻止する状態を創出する。
なお、ＦＤドライブ６５やＣＤ／ＤＶＤドライブ６６およびＰＣカードスロット６７の使用の阻止は、それらの一部分を塞げば達成することができるので、漏洩防止用固定具５０はそれらに応じて大きく形成する必要はない。
【００２３】
他方、図２、図３および図６に示されているように、左辺の前側に配置される漏洩防止用固定具５０においては、ＵＳＢポート６１に接続されたＵＳＢケーブル６２が邪魔になるので、漏洩防止用固定具５０を長孔５２に沿って左右方向に適宜にずらして、ＵＳＢケーブル６２を跨ぐように固定する。
このように漏洩防止用固定具５０をＵＳＢケーブル６２を跨いで固定させると、漏洩防止用固定具５０が干渉する状態になるために、ＵＳＢケーブル６２はＵＳＢポート６１から抜き差しすることが不能の状態になる。
つまり、ＵＳＢケーブル６２をＵＳＢポート６１から引き抜いて、代わりに、ＵＳＢメモリー（図示せず）を接続することができない状態になるので、使用中のノートパソコン６０についても、ＵＳＢメモリーへの情報の漏洩を防止することができる。
ちなみに、ＵＳＢケーブル６２は漏洩防止用固定具５０の接続阻止部５３の長孔５２を挿通させて引き出してもよいし、漏洩防止用固定具５０の接続阻止部５３の横から引き出してもよい。
【００２４】
また、図２、図４および図６に示されているように、後辺左側に配置される漏洩防止用固定具５０においては、ネットワーク接続口６３に接続されたネットワークケーブル６４が邪魔になるので、漏洩防止用固定具５０を長孔５２に沿って前後方向に適宜にずらして、ネットワークケーブル６４を跨ぐように固定する。
このように漏洩防止用固定具５０をネットワークケーブル６４を跨いで固定させると、漏洩防止用固定具５０が干渉する状態になるために、ネットワークケーブル６４はネットワーク接続口６３から抜き差しすることが不能の状態になる。
つまり、ネットワークケーブル６４をネットワーク接続口６３から引き抜いて、代わりに、他のノートパソコン（図示せず）を接続することができない状態になるので、使用中のノートパソコン６０についても、他のノートパソコンへのへの情報の漏洩を防止することができる。
ちなみに、ネットワークケーブル６４は漏洩防止用固定具５０の接続阻止部５３の長孔５２を挿通させて引き出してもよいし、漏洩防止用固定具５０の接続阻止部５３の横から引き出してもよい。
【００２５】
以上のようにして複数個の漏洩防止用固定具５０の固定が完了した後に、各漏洩防止用固定具５０を固定した雄ねじ部材４０には、各漏洩防止用固定具５０のベース１０に対する固定を封する封緘としての接着材層５６が、各雄ねじ部材４０に図７に示されているようにそれぞれ塗布される。
各雄ねじ部材４０は接着材層５６によって封緘された状態になるので、雄ねじ部材４０を外して漏洩防止用固定具５０を取り除くことはできない状態になる。つまり、漏洩防止用固定具５０による漏洩防止機能は、より一層高められることになる。
【００２６】
なお、本発明は前記実施の形態に限定されるものではなく、その要旨を逸脱しない範囲において、種々に変更が可能であることはいうまでもない。
【００２７】
例えば、漏洩防止用固定具５０のベース１０に対する固定を封する封緘としては、封緘シール５７を雄ねじ部材４０に図８に示されているように貼着してもよい。
封緘シール５７の場合には必要に応じて再使用が可能であるので、ノートパソコン６０の使用状況の変更に対しても容易に対応することができる。
【００２８】
漏洩防止用固定具５０を取り付けるための雌ねじ孔１５は、複数個をベース１０の周辺部に一列だけ配置するに限らず、図９に示されているように、複数個ずつ内外二列以上に配置してもよい。
例えば、漏洩防止用固定具５０を内外二列に配置した場合には、Ａ版のノートパソコン６０（図１〜図６参照）に対応することができるばかりでなく、Ｂ版のノートパソコンにも対応することができる。
すなわち、図９に示されているように、Ａ版のノートパソコンの載置部１３Ａの内側に載置されるＢ版のノートパソコン６０Ｂを内側列に配置された複数個の漏洩防止用固定具５０によって固定することができるとともに、Ｂ版のノートパソコン６０Ｂにおける情報取り出し部への外部記憶装置の接続を阻止することができる。
【００２９】
ノートパソコンの一側面に配設された情報取り出し部への外部記憶装置の接続を複数個の漏洩防止用固定具によって阻止するように構成するに限らず、図１０に示されているように、片側単一型の漏洩防止用固定具５０Ａによって複数個の情報取り出し部への外部記憶装置の接続を阻止することができるように構成してもよい。
図１０に示された漏洩防止用固定具５０Ａにおいては、漏洩防止用固定具５０Ａ自身をベース１０に固定する固定部５１には、雄ねじ部材４０を挿通する一対の長孔５２、５２が開設されているとともに、突合部５１ａがノートパソコン６０の側面下端部に突合して漏洩防止用固定具５０Ａを回り止めし得るように突設されている。
また、係合部５４が接続された接続阻止部５３の片側には、ノートパソコン６０の後端部に配設された情報取り出し部への外部記憶装置の接続を阻止する接続阻止部５３Ａが、一体的に延長されて設けられている。
【００３０】
漏洩防止用固定具をベースに固定する固定手段としては、雌ねじ孔および雄ねじ部材を使用するに限らず、支柱と割りピンとの組合せ等の固定手段を使用することができる。
【００３１】
本実施の形態においては、ベースをパソコン机の天板の上に載置する場合について説明したが、ベースはパソコン机の天板等と兼用するように構成してもよい。
【図面の簡単な説明】
【００３２】
【図１】本発明の一実施の形態である情報漏洩防止パソコン台を示す分解斜視図である。
【図２】本発明の一実施の形態である情報漏洩防止パソコン台にノートパソコンを設置した状態を示す平面図である。
【図３】その正面図である。
【図４】その背面図である。
【図５】その右側面図である。
【図６】その左側面図である。
【図７】封緘の一実施の形態を示しており、（ａ）は平面図、（ｂ）は正面断面図、（ｃ）は側面断面図である。
【図８】封緘の他の実施の形態を示しており、（ａ）は平面図、（ｂ）は正面断面図、（ｃ）は側面断面図である。
【図９】本発明の他の実施の形態である情報漏洩防止パソコン台のベースを示す斜視図である。
【図１０】本発明の別の他の実施の形態である情報漏洩防止パソコン台の片側単一型漏洩防止用固定具の取付状態を示しており、（ａ）は平面図、（ｂ）は（ａ）のｂ−ｂ線に沿う断面図、（ｃ）は側面図である。
【符号の説明】
【００３３】
１…情報漏洩防止パソコン台、２…パソコン机の天板、１０…ベース、１１…本体、１２…脚部材、１３、１３Ａ…載置部、１４、１５…雌ねじ孔、２０…後側固定具、２１…稜線部、２２…縦部片、２３…横部片、３０…前側固定具、３１…稜線部、３２…縦部片、３３…横部片、３４…長孔、４０…雄ねじ部材、５０…漏洩防止用固定具、５１…固定部、５２…長孔、５３…接続阻止部、５４…係合部、５５…クッション、５６…接着材層（封緘）、５７…封緘シール、６０…ノートパソコン、６０Ｂ…Ｂ版のノートパソコン、６１…ＵＳＢポート、６２…ＵＳＢケーブル、６３…ネットワーク接続口、６４…ネットワークケーブル、６５…ＦＤドライブ、６６…ＣＤ／ＤＶＤドライブ、６７…ＰＣカードスロット、５０Ａ…単一型漏洩防止用固定具、５１ａ…突合部、５３Ａ…延長された接続阻止部。
【図１】
2006277202.tif 000003
【図２】
2006277202.tif 000004
【図３】
2006277202.tif 000005
【図４】
2006277202.tif 000006
【図５】
2006277202.tif 000007
【図６】
2006277202.tif 000008
【図７】
2006277202.tif 000009
【図８】
2006277202.tif 000010
【図９】
2006277202.tif 000011
【図１０】
2006277202.tif 000012